Podtech/llm-jp-corpus-v4-ja_patent huggingface dataset:
【手続補正書】
【提出日】令和1年11月19日(2019.11.19)
【手続補正１】
【補正対象書類名】明細書
【補正対象項目名】０００７
【補正方法】変更
【補正の内容】
【０００７】
本発明に係る集約型変電設備は、２つの長手側側板と２つの短手側側板とで囲まれた箱体をなし、変圧器本体が収容された変圧器タンクと、前記長手側側板又は前記短手側側板のいずれかに着脱可能に取り付けられ、前記変圧器本体の受電電圧側に接続される中性点接地抵抗器を収容するＮＧＲ盤とを備える。
【手続補正２】
【補正対象書類名】特許請求の範囲
【補正対象項目名】全文
【補正方法】変更
【補正の内容】
【特許請求の範囲】
【請求項１】
２つの長手側側板と２つの短手側側板とで囲まれた箱体をなし、変圧器本体が収容された変圧器タンクと、
前記長手側側板又は前記短手側側板のいずれかに着脱可能に取り付けられ、前記変圧器本体の受電電圧側に接続される中性点接地抵抗器を収容するＮＧＲ盤と
を備える集約型変電設備。
【請求項２】
前記長手側側板の一方に着脱可能に取り付けられ、前記変圧器本体の受電電圧側の電路に介装される真空遮断器を収容する１又は複数のフィーダ盤を備える請求項１に記載の集約型変電設備。
【請求項３】
前記長手側側板の他方に着脱可能に取り付けられ、前記変圧器タンク内に満たされた絶縁油を冷却し、冷却した絶縁油を前記変圧器タンク内へ循環させる１又は複数の冷却装置を備える請求項１又は請求項２に記載の集約型変電設備。
【請求項４】
前記長手側側板のいずれか一方に着脱可能に取り付けられ、前記変圧器本体の送電電圧側に接続される開閉装置に設けられた遮断器へ制御信号を送出する保護継電器を収容する継電器盤を備える請求項１から請求項３のいずれか一項に記載の集約型変電設備。
【請求項５】
前記ＮＧＲ盤が前記長手側側板に取り付けられる場合には前記短手側側板に、また前記ＮＧＲ盤が前記短手側側板に取り付けられる場合には前記長手側側板に着脱可能に取り付けられ、前記集約型変電設備内の機器を動作させるための直流電圧を供給する直流電源装置を収容する直流電源盤を備える請求項１から請求項４のいずれか一項に記載の集約型変電設備。
【請求項６】
前記変圧器タンク内に収容され、前記変圧器本体の受電電圧側の零相電圧を検出するための接地変圧器本体を備える請求項１から請求項５のいずれか一項に記載の集約型変電設備。
【請求項７】
前記変圧器タンク内に収容され、前記変圧器本体の受電電圧を該受電電圧よりも低い電圧に変換する所内変圧器本体を備える請求項１から請求項６のいずれか一項に記載の集約型変電設備。
【請求項８】
前記短手側板の他方に取り付けられ、前記変圧器本体の交流の各相に対応して適長離隔した気中ブッシング又はガスブッシングを備える請求項１から請求項７のいずれか一項に記載の集約型変電設備。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
シート部及び該シート部から突出し内部が中空の微細中空突起を備えた微細中空突起具の製造方法であって、
第１の材料から形成された基材シート上に、第１の材料とは異なる第２の材料を部分的に配置し、該基材シートと第２の材料とが積層された他材料積層部が部分的に形成された中間シートを得る工程と、
前記中間シートにおける一面側から、前記他材料積層部に、加熱手段を有した凸型を刺すことによって、該中間シートの他面側から突出する微細中空突起を形成する突起形成工程とを備え、
前記シート部は、前記第１の材料によって形成された前記基材シートの一部であり、
前記第１の材料又は前記第２の材料は、熱可塑性樹脂を含む骨格形成材料であり、該骨格形成材料によって前記微細中空突起の立体形態を維持する骨格が形成される、微細中空突起具の製造方法。
【請求項２】
前記第２の材料を、前記基材シート上にドット状に塗工して、該第２の材料を部分的に配置する、請求項１に記載の微細中空突起具の製造方法。
【請求項３】
１個の前記他材料積層部に複数の前記凸型を刺す、請求項１又は２に記載の微細中空突起具の製造方法。
【請求項４】
前記第１の材料に比して剛性が高い前記第２の材料を部分的に配置する、請求項１ないし３のいずれか一項に記載の微細中空突起具の製造方法。
【請求項５】
前記第１の材料が、前記微細中空突起の骨格形成材料であり、前記第２の材料が、前記第１の材料により形成された前記微細中空突起の骨格上に機能性を有する被覆層を形成するコーティング材料であり、
先端が開口した前記微細中空突起を形成する、請求項１ないし３のいずれか一項に記載の微細中空突起具の製造方法。
【請求項６】
シート部及び該シート部から突出し内部が中空の微細中空突起を備えた微細中空突起具であって、
前記微細中空突起は、その形態を維持する骨格が熱可塑性樹脂を含む骨格形成材料から形成されており、
前記骨格形成材料又は前記微細中空突起の表面を被覆するコーティング材料が、前記シート部を形成する第１の材料とは異なる材料であって、前記微細中空突起具の平面視において部分的に配されている第２の材料から形成されており、
前記第２の材料は前記第１の材料に比して剛性が高いものである、微細中空突起具。
【請求項７】
シート部及び該シート部から突出し内部が中空の微細中空突起を備えた微細中空突起具であって、
前記微細中空突起は、その形態を維持する骨格が熱可塑性樹脂を含む骨格形成材料から形成されており、
前記骨格形成材料又は前記微細中空突起の表面を被覆するコーティング材料が、前記シート部を形成する第１の材料とは異なる材料であって、前記微細中空突起具の平面視において部分的に配されている第２の材料から形成されており、
前記微細中空突起の内部の空間の先端が尖っている、微細中空突起具。
【請求項８】
シート部及び該シート部から突出し内部が中空の微細中空突起を備えた微細中空突起具であって、
前記微細中空突起は、その形態を維持する骨格が熱可塑性樹脂を含む骨格形成材料から形成されており、
前記骨格形成材料又は前記微細中空突起の表面を被覆するコーティング材料が、前記シート部を形成する第１の材料とは異なる材料であって、前記微細中空突起具の平面視において部分的に配されている第２の材料から形成されており、
前記第１の材料が、前記微細中空突起の骨格形成材料であり、前記第２の材料が、前記第１の材料により形成された前記微細中空突起の骨格上に機能性を有する被覆層を形成するコーティング材料であり、
前記微細中空突起の先端が開口している、微細中空突起具。
【請求項９】
前記シート部は、前記第２の材料が配されている他材料配置部を有しており、
複数の前記他材料配置部が、前記微細中空突起具の平面視において散点状に形成されている、請求項７又は８に記載の微細中空突起具。
【請求項１０】
前記シート部は、前記第２の材料が配されている他材料配置部を有しており、
前記他材料配置部に、複数の前記微細中空突起が形成されている、請求項７〜９の何れか１項に記載の微細中空突起具。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
所定の画像を表示可能な画像表示手段と、
複数種類設けられた第１画像のうちのいずれかから、当該第１画像とは異なる第２画像に切替えることにより前記有利状態に制御される期待度を示唆する示唆演出を実行可能な示唆演出手段とを備え、
前記画像表示手段は、前記示唆演出を実行した後に、前記第２画像から前記第１画像へ切替えるときに特別画像を表示可能であり、
前記特別画像は、少なくとも前記示唆演出の終了後に実行され得る演出を示唆する複数種類の示唆画像により構成されており、
前記特別画像を表示した後に、前記複数種類の示唆画像のうちのいずれかに切替えることを示唆する切替示唆演出を実行可能な切替示唆演出手段をさらに備える、遊技機。
【手続補正２】
【補正対象書類名】明細書
【補正対象項目名】０００６
【補正方法】変更
【補正の内容】
【０００６】
手段Ａの遊技機は、遊技者にとって有利な有利状態に制御可能な遊技機であって、
所定の画像を表示可能な画像表示手段と、
複数種類設けられた第１画像のうちのいずれかから、当該第１画像とは異なる第２画像に切替えることにより前記有利状態に制御される期待度を示唆する示唆演出を実行可能な示唆演出手段とを備え、
前記画像表示手段は、前記示唆演出を実行した後に、前記第２画像から前記第１画像へ切替えるときに特別画像を表示可能であり、
前記特別画像は、少なくとも前記示唆演出の終了後に実行され得る演出を示唆する複数種類の示唆画像により構成されており、
前記特別画像を表示した後に、前記複数種類の示唆画像のうちのいずれかに切替えることを示唆する切替示唆演出を実行可能な切替示唆演出手段をさらに備える、
ことを特徴とする。
さらに、手段１の遊技機は、遊技者にとって有利な有利状態（例えば、大当り遊技状態）に制御可能な遊技機（例えば、パチンコ遊技機１）であって、
所定の画像を表示可能な画像表示手段（例えば、演出制御用ＣＰＵ１２０、画像表示装置５）と、
複数種類設けられた第１画像（例えば、通常背景としての第１背景画像）のうちのいずれかから、当該第１画像とは異なる第２画像（例えば、ＳＰリーチで表示される第２背景画像）に切替えることにより前記有利状態に制御される期待度を示唆する示唆演出（例えば、ＳＰリーチ演出）を実行可能な示唆演出手段（例えば、演出制御用ＣＰＵ１２０）とを備え、
前記画像表示手段は、前記示唆演出を実行した後に、前記第２画像から前記第１画像へ切替えるときに特別画像を表示可能であり（例えば、演出制御用ＣＰＵ１２０は、ＳＰリーチ演出を実行した後に、はずれ表示結果が表示された第２背景から第１背景へ切替えるときに移行先の背景を示す特別画像を表示する）、
前記特別画像は、少なくとも前記示唆演出の終了後に実行され得る演出を示唆する複数種類の示唆画像により構成されている（例えば、図１１−２（Ｂ），（Ｅ）に示すように、特別画像は、ＳＰリーチ演出の終了後の移行先を示す複数種類の示唆画像により構成される）ことを特徴とする。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
遊技機に対する異常状態を報知する報知音と、遊技の進行に応じた演出音とを出力する音出力手段と、
画像表示手段と、
前記音出力手段から出力される音および前記画像表示手段で表示される画像とを、前記主制御手段から受信したコマンドにもとづいて制御する演出制御手段と、
前記音出力手段から出力する音量を調整可能な第１音量調整手段と、
前記音出力手段から出力する音量を調整可能な、前記第１音量調整手段とは異なる第２音量調整手段と、
を備える遊技機において、
前記第１音量調整手段と前記第２音量調整手段のうち、前記第１音量調整手段は、遊技者が操作することができない調整手段とされ、
前記演出制御手段は、複数の音設定部を有し、
前記複数の音設定部には、前記第１音量調整手段の操作に応じて音量変更が可能な演出音データと、前記第１音量調整手段の操作に応じて音量変更が不可能な報知音データとが個別に設定され、
前記複数の音設定部のうち前記演出音データが設定される音設定部に、前記第１音量調整手段の操作に応じた所定の第１音量値が設定され、
前記複数の音設定部に設定された音データを合成する合成手段と、前記合成手段により合成された後の第２音量値を設定する合成音量値設定手段と、を備え、
前記第２音量調整手段の操作に応じて前記音設定部における前記第１音量値が更新可能とされ、
前記合成音量値設定手段で設定された音量に基づいて前記音出力手段から出力される
ことを特徴とする遊技機。
【手続補正２】
【補正対象書類名】明細書
【補正対象項目名】００１６
【補正方法】変更
【補正の内容】
【００１６】
（解決手段１）
遊技の進行を制御する主制御手段と、
遊技機に対する異常状態を報知する報知音と、遊技の進行に応じた演出音とを出力する音出力手段と、
画像表示手段と、
前記音出力手段から出力される音および前記画像表示手段で表示される画像とを、前記主制御手段から受信したコマンドにもとづいて制御する演出制御手段と、
前記音出力手段から出力する音量を調整可能な第１音量調整手段と、
前記音出力手段から出力する音量を調整可能な、前記第１音量調整手段とは異なる第２音量調整手段と、
を備える遊技機において、
前記第１音量調整手段と前記第２音量調整手段のうち、前記第１音量調整手段は、遊技者が操作することができない調整手段とされ、
前記演出制御手段は、複数の音設定部を有し、
前記複数の音設定部には、前記第１音量調整手段の操作に応じて音量変更が可能な演出音データと、前記第１音量調整手段の操作に応じて音量変更が不可能な報知音データとが個別に設定され、
前記複数の音設定部のうち前記演出音データが設定される音設定部に、前記第１音量調整手段の操作に応じた所定の第１音量値が設定され、
前記複数の音設定部に設定された音データを合成する合成手段と、前記合成手段により合成された後の第２音量値を設定する合成音量値設定手段と、を備え、
前記第２音量調整手段の操作に応じて前記音設定部における前記第１音量値が更新可能とされ、
前記合成音量値設定手段で設定された音量に基づいて前記音出力手段から出力される
ことを特徴とする遊技機。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
遊技機に対する異常状態を報知する報知音と、遊技の進行に応じた演出音とを出力する音出力手段と、
画像表示手段と、
前記音出力手段から出力される音および前記画像表示手段で表示される画像とを、前記主制御手段から受信したコマンドにもとづいて制御する演出制御手段と、
前記音出力手段から出力する音量を変更するために遊技者が操作することが可能な遊技者音量調整手段と、
を備える遊技機において、
前記演出制御手段は、複数の音設定部を有し、
前記複数の音設定部には、前記遊技者音量調整手段の操作に応じて音量変更が可能な演出音データと、前記遊技者音量調整手段の操作に応じて音量変更が不可能な報知音データとが個別に設定され、
前記複数の音設定部に設定された音データを合成する合成手段と、前記合成手段により合成された後の第２音量値を設定する合成音量値設定手段と、を備え、
前記複数の音設定部は１つの制御素子内でのデータ設定領域として構成されるものであり、
前記複数の音設定部のうち前記演出音データが設定される音設定部には前記遊技者音量調整手段の操作に応じて変更可能な第１音量値が設定され、
前記遊技者音量調整手段を遊技者が操作することにより、前記音設定部に設定されている演出音データの第１音量値を変更可能とし、
前記合成音量値設定手段で設定された音量に基づいて前記音出力手段から出力され、
前記演出音は、所定の条件の下で消音で進行し、前記所定の条件が解除されると、前記遊技者音量調整手段の操作によって設定された音量での出力が再開される
ことを特徴とする遊技機。
【手続補正２】
【補正対象書類名】明細書
【補正対象項目名】０００７
【補正方法】変更
【補正の内容】
【０００７】
（解決手段１）
遊技の進行を制御する主制御手段と、
遊技機に対する異常状態を報知する報知音と、遊技の進行に応じた演出音とを出力する音出力手段と、
画像表示手段と、
前記音出力手段から出力される音および前記画像表示手段で表示される画像とを、前記主制御手段から受信したコマンドにもとづいて制御する演出制御手段と、
前記音出力手段から出力する音量を変更するために遊技者が操作することが可能な遊技者音量調整手段と、
を備える遊技機において、
前記演出制御手段は、複数の音設定部を有し、
前記複数の音設定部には、前記遊技者音量調整手段の操作に応じて音量変更が可能な演出音データと、前記遊技者音量調整手段の操作に応じて音量変更が不可能な報知音データとが個別に設定され、
前記複数の音設定部に設定された音データを合成する合成手段と、前記合成手段により合成された後の第２音量値を設定する合成音量値設定手段と、を備え、
前記複数の音設定部は１つの制御素子内でのデータ設定領域として構成されるものであり、
前記複数の音設定部のうち前記演出音データが設定される音設定部には前記遊技者音量調整手段の操作に応じて変更可能な第１音量値が設定され、
前記遊技者音量調整手段を遊技者が操作することにより、前記音設定部に設定されている演出音データの第１音量値を変更可能とし、
前記合成音量値設定手段で設定された音量に基づいて前記音出力手段から出力され、
前記演出音は、所定の条件の下で消音で進行し、前記所定の条件が解除されると、前記遊技者音量調整手段の操作によって設定された音量での出力が再開される
ことを特徴とする遊技機。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
可動領域の少なくとも一部が重複する複数の演出用可動体と、
前記複数の演出用可動体を動作させる駆動手段と、
前記駆動手段による前記複数の演出用可動体の動作を制御する動作制御手段と、
前記複数の演出用可動体のうち少なくともいずれか１つの動作状態を監視可能な動作状態監視手段と、
を備え、
前記動作状態監視手段は、前記複数の演出用可動体に含まれる第１演出用可動体と第２演出用可動体との少なくともいずれか一方が、動作により重複する可動領域に及ぶときに、前記第１演出用可動体及び前記第２演出用可動体の少なくともいずれか他方の動作状態を監視し、
前記動作制御手段は、
前記動作状態監視手段の監視内容にもとづいて、重複する可動領域において前記第１演出用可動体と前記第２演出用可動体とが互いに干渉しないように前記複数の演出用可動体を制御し、
遊技者にとって有利な有利状態に制御されるか否かを報知する報知演出の実行タイミングを示唆する示唆演出を、前記第１演出用可動体の動作に関連して実行可能であり、
前記示唆演出の実行中に、前記第２演出用可動体を動作可能である、
ことを特徴とする遊技機。
【手続補正２】
【補正対象書類名】明細書
【補正対象項目名】０００２
【補正方法】変更
【補正の内容】
【０００２】
従来のパチンコ遊技機としては、演出用可動体（演出用役物）を動かし、演出を実行するものがある（例えば、特許文献１参照）。
【手続補正３】
【補正対象書類名】明細書
【補正対象項目名】０００４
【補正方法】変更
【補正の内容】
【０００４】
ここで、演出用可動体が動作するときに干渉が生じると、演出用可動体の動作を伴う演出において演出効果の低下をまねくという問題がある。
【手続補正４】
【補正対象書類名】明細書
【補正対象項目名】０００５
【補正方法】変更
【補正の内容】
【０００５】
本発明は、このような問題点に着目してなされたものであり、演出用可動体の動作による演出の演出効果の低下を防ぎつつ、複数の演出用可動体の干渉を回避することができる遊技機を提供することを目的とする。
【手続補正５】
【補正対象書類名】明細書
【補正対象項目名】０００６
【補正方法】変更
【補正の内容】
【０００６】
（手段Ａ）前記課題を解決するために、本発明に係る遊技機は、
遊技を行うことが可能な遊技機であって、
可動領域の少なくとも一部が重複する複数の演出用可動体と、
前記複数の演出用可動体を動作させる駆動手段と、
前記駆動手段による前記複数の演出用可動体の動作を制御する動作制御手段と、
前記複数の演出用可動体のうち少なくともいずれか１つの動作状態を監視可能な動作状態監視手段と、
を備え、
前記動作状態監視手段は、前記複数の演出用可動体に含まれる第１演出用可動体と第２演出用可動体との少なくともいずれか一方が、動作により重複する可動領域に及ぶときに、前記第１演出用可動体及び前記第２演出用可動体の少なくともいずれか他方の動作状態を監視し、
前記動作制御手段は、
前記動作状態監視手段の監視内容にもとづいて、重複する可動領域において前記第１演出用可動体と前記第２演出用可動体とが互いに干渉しないように前記複数の演出用可動体を制御し、
遊技者にとって有利な有利状態に制御されるか否かを報知する報知演出の実行タイミングを示唆する示唆演出を、前記第１演出用可動体の動作に関連して実行可能であり、
前記示唆演出の実行中に、前記第２演出用可動体を動作可能である、
ことを特徴とする。
この特徴によれば、演出用可動体の動作による演出効果の低下を防ぎつつ、複数の演出用可動体の干渉を回避することができる。
（手段１）他の態様に係る遊技機（（例えば、パチンコ遊技機１）は、
複数の電気部品（例えば、第１ランプ中継基板５００、第２ランプ中継基板５１０）と、
前記複数の電気部品を接続するフレキシブルケーブル（例えば、第１フレキシブルケーブル５２１）と、
を備え、
前記フレキシブルケーブルにおける所定位置（例えば一端から長さＬ１，Ｌ２の位置）には、標示手段（例えば、マーク５２１ｘ，５２１ｙ）が設けられ、
前記フレキシブルケーブルには、少なくとも一部が前記標示手段と厚さ方向で重なるように屈曲部（例えば、屈曲部５２１ｖ，５２１ｗ）が形成されている
ことを特徴とする。
この特徴によれば、フレキシブルケーブルの個体間での屈曲部の位置のばらつきの拡大を抑えることができ、品質の均質化を図ることができる。
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
大気圧よりも減圧された雰囲気を維持可能なチャンバと、
前記チャンバの内部を排気可能な排気部と、
前記チャンバの内部に設けられ、少なくとも１つの第１のヒータを有する第１の加熱部と、
前記チャンバの内部に設けられ、少なくとも１つの第２のヒータを有し、前記第１の加熱部と対向させて設けられた第２の加熱部と、
前記第１の加熱部と、前記第２の加熱部との間であって、基板と、前記基板の上面に塗布された有機材料と溶媒とを含む溶液と、を有するワークが支持される処理領域と、
前記第１の加熱部、および、前記第２の加熱部の少なくともいずれかの内部に冷却ガスまたは冷媒を供給する冷却部と、
を備え、
前記処理領域に支持された前記ワークが、前記第１の加熱部、および、前記第２の加熱部の少なくともいずれかに前記冷却ガスまたは前記冷媒が供給されることにより冷却される有機膜形成装置。
【請求項２】
前記第１のヒータは棒状を呈し、前記ワークの表面が延在する方向に並べて複数設けられ、
前記第１の加熱部は、前記第２の加熱部側に前記複数の第１のヒータと離隔して設けられた少なくとも１つの第１の均熱板をさらに有し、
前記冷却部は、前記第１の均熱板によって前記処理領域と仕切られた空間に対して、前記ワークの表面が延在する方向に前記冷却ガスまたは前記冷媒を供給する請求項１記載の有機膜形成装置。
【請求項３】
前記第２のヒータは棒状を呈し、前記ワークの表面が延在する方向に並べて複数設けられ、
前記第２の加熱部は、前記第１の加熱部側に前記複数の第２のヒータと離隔して設けられた少なくとも１つの第２の均熱板をさらに有し、
前記冷却部は、前記第２の均熱板によって前記処理領域と仕切られた空間に対して、前記ワークの表面が延在する方向に前記冷却ガスまたは前記冷媒を供給する請求項１または２に記載の有機膜形成装置。
【請求項４】
前記冷媒は、前記第１の加熱部、および、前記第２の加熱部の少なくともいずれかの内部に設けられた冷却体の内部に供給される請求項２または３記載の有機膜形成装置。
【請求項５】
前記排気部は、前記冷却部が前記冷却ガスまたは前記冷媒を供給する間、一定時間動作して停止した後、再度動作するように間欠して動作することを特徴とする請求項１〜４に記載の有機膜形成装置。
【請求項６】
大気圧よりも減圧された雰囲気を維持可能なチャンバと、
前記チャンバの内部を大気圧よりも低い圧力まで排気可能な第１の排気部と、
前記チャンバの上方に設けられた上方の排気口と、
前記上方の排気口に接続され、前記チャンバの上方空間に滞留した温度の高い気体を排出する第２の排気部と、
前記チャンバの内部に設けられ、少なくとも１つの第１のヒータを有する第１の加熱部と、
前記チャンバの内部に設けられ、少なくとも１つの第２のヒータを有し、前記第１の加熱部と対向させて設けられた第２の加熱部と、
前記第１の加熱部と、前記第２の加熱部との間であって、基板と、前記基板の上面に塗布された、有機材料と溶媒とを含む溶液と、を有するワークが支持される処理領域と、
前記第１の加熱部、および、前記第２の加熱部の少なくともいずれかの内部に冷却ガスまたは冷媒を供給する冷却部と、
を備え、
前記処理領域に支持された前記ワークが、前記第１の加熱部、および、前記第２の加熱部の少なくともいずれかに前記冷却ガスまたは前記冷媒が供給されることにより冷却される有機膜形成装置。
【請求項７】
前記第１の加熱部は、前記ワークの表面が延在する方向と交差する上下方向に複数設けられ、
前記冷却部は、下方に位置する前記第１の加熱部よりも上方に位置する前記第１の加熱部の内部に供給する冷却ガスまたは冷媒の流量を多くすることを特徴とする請求項１〜６に記載の有機膜形成装置。
【請求項８】
前記第１の排気部は、前記冷却部が冷却ガスまたは冷媒を供給する間、一定時間動作して停止した後、再度動作するように間欠して動作することを特徴とする請求項６または７に記載の有機膜形成装置。
【請求項９】
前記チャンバ内の真空度を検出する真空センサと、
前記チャンバ内の酸素濃度を検出する酸素濃度センサと、
前記チャンバに設けられた開口と、バルブとを介して接続された配管をさらに備え、
前記真空センサと前記酸素濃度センサの少なくともいずれかは、前記開口を上流側とした前記配管において前記バルブよりも下流側に設けられることを特徴とする請求項１〜８のいずれか一つに記載の有機膜形成装置。
【請求項１０】
前記冷却部は、前記第１の加熱部の内部に導入する冷却ガスの導入方向とは異なる方向から前記第２の加熱部の内部に冷却ガスを導入することを特徴とする請求項１〜８のいずれか一つに記載の有機膜形成装置。
【請求項１１】
大気圧よりも減圧された雰囲気において、基板と、前記基板の上面に塗布された有機材料と溶媒とを含む溶液と、を有するワークを加熱する工程と、
前記加熱を行うことで有機膜が形成されたワークを冷却する工程と、
を備え、
前記ワークを加熱する工程においては、第１の加熱部と、第２の加熱部と、の間の処理領域において前記ワークが加熱され、
前記ワークを冷却する工程においては、
前記第１の加熱部、および、前記第２の加熱部の少なくともいずれかの内部に冷却ガスまたは冷媒を供給し、
前記処理領域に支持された前記ワークが、前記第１の加熱部、および、前記第２の加熱部の少なくともいずれかに前記冷却ガスまたは前記冷媒が供給されることにより冷却される有機膜の製造方法。
【請求項１２】
前記ワークを冷却する工程において、
前記大気圧よりも減圧された雰囲気における上方空間に滞留した温度の高い気体を排出する請求項１１記載の有機膜の製造方法。
【請求項１３】
前記ワークを冷却する工程において、
前記雰囲気を減圧する排気部が、一定時間停止して前記雰囲気内に熱交換を促し、熱交換が行われた後の熱を含んだ気体が排出されるように再度動作するように、間欠して動作することを特徴とする請求項１１または１２記載の有機膜の製造方法。
【手続補正２】
【補正対象書類名】明細書
【補正対象項目名】００１８
【補正方法】変更
【補正の内容】
【００１８】
チャンバ１０の内部を減圧する場合には、まず、第１の排気部２１によりチャンバ１０の内圧が１０Ｐａ程度になるようにする。次に、第２の排気部２２によりチャンバ１０の内圧が１０Ｐａ〜１×１０−２Ｐａ程度となるようにする。この様にすれば、所望の圧力まで減圧するのに必要となる時間を短くすることができる。
【手続補正３】
【補正対象書類名】明細書
【補正対象項目名】００３８
【補正方法】変更
【補正の内容】
【００３８】
また、複数のワーク支持部３３の、少なくともワーク１００に接触する端部を熱伝導率
の低い材料から形成することができる。熱伝導率の低い材料は、例えば、セラミックスと
することができる。この場合、セラミックスの中でも２０℃における熱伝導率が３２Ｗ/
（ｍ・ｋ）以下の材料とすることが好ましい。セラミックスは、例えばアルミナ（Ａｌ２
Ｏ３）、窒化珪素（Ｓｉ３Ｎ４）、ジルコニア（ＺｒＯ２）などとすることができる。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
クライアントデバイスがメディア取り込みシステムからメディアデータストリームを受信する通信システムにおいて、
前記メディア取り込みシステムにおいて、前記メディアデータストリームと関連付けられたメディアプレゼンテーション記述（ＭＰＤ）ファイルを提供することと、
前記メディアデータストリームが前記クライアントデバイスに送信されている間に前記ＭＰＤを動的に更新することと、
前記ＭＰＤが更新されていることを示すために前記メディアデータストリーム内に信号を挿入することと、
を備える方法。
【請求項２】
クライアントデバイスがメディア取り込みシステムからメディアデータストリームを受信する通信システムにおいて、
前記クライアントデバイスにおいて、前記メディアデータストリームと関連付けられたＭＰＤが更新されていることを示す信号を前記メディアデータストリーム内で検出することと、
前記メディア取り込みシステムに前記更新されたＭＰＤの要求を送信することと、
を備える方法。
【請求項３】
クライアントデバイスがメディア取り込みシステムからメディアデータストリームを受信する通信システムにおいて、
前記メディア取り込みシステムにおいて、前記メディアデータストリームと関連付けられたメディアプレゼンテーション記述（ＭＰＤ）ファイルを提供することと、
有効性インジケータ及び時間間隔を前記ＭＰＤ内で提供することであって、前記インジケータは、前記ＭＰＤが前記時間間隔にわたって有効であることをシグナリングすることと、
を備える方法。
【請求項４】
クライアントデバイスがメディア取り込みシステムからメディアデータストリームを受信する通信システムにおいて、
前記クライアントデバイスにおいて、前記メディアデータストリームと関連付けられたメディアプレゼンテーション記述（ＭＰＤ）ファイルを受信することと、
有効性インジケータ及び時間間隔を前記ＭＰＤから抽出することであって、前記インジケータは、前記ＭＰＤが前記時間間隔にわたって有効であることをシグナリングすることと、
前記時間間隔と現在の提示時間の比較に基づいて前記ＭＰＤが有効であることを確認することと、を
備える方法。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
透析装置と限外濾過ポンプとを有してなる透析液流回路と、
所与のレジスタを第１値に設定し、限外濾過ポンプのポンプストロークごとにレジスタの値を第１増分値だけ増加させ、かつ所定時間の経過ごとに前記レジスタの値を第２増分値だけ減少させることによって、透析ユニットによる透析処置の間、患者から排出される限外濾過流体の量を監視するフィールドプログラマブルゲートアレイであって、レジスタの値が所定の最大値を超えた場合にフェールセーフ状態になるフィールドプログラマブルゲートアレイとを備える、透析ユニット。
【請求項２】
前記フィールドプログラマブルゲートアレイは処置の開始前の限外濾過体積を監視し、及び、前記透析ユニットは自動コンピュータ処理装置をさらに備え、前記自動コンピュータ処理装置は、前記フィールドプログラマブルゲートアレイに公称限外濾過速度を割り当て、前記限外濾過ポンプを前記公称限外濾過速度を超える所定の速度で駆動し、及び前記フィールドプログラマブルゲートアレイが前記透析処置の開始よりも前にフェールセーフ状態になることを確認する、請求項１に記載の透析ユニット。
【請求項３】
前記所定の最大値は固定されており、又はプログラム可能である、請求項１に記載の透析ユニット。
【請求項４】
前記レジスタが前記第１の値からゼロまで減少した場合にも前記フィールドプログラマブルゲートアレイがフェールセーフになるように形成されている、請求項１に記載の透析ユニット。
【請求項５】
前記限外濾過ポンプが起動しているときの一定の期間の間、時間ごとの所定の増分のそれぞれについて前記第２の増分値だけ、前記フィールドプログラマブルゲートアレイが前記レジスタの値を減少させる、請求項１に記載の透析ユニット。
【請求項６】
透析装置と限外濾過ポンプとを有してなる透析液流回路と、
所与のレジスタを第１値に設定し、限外濾過ポンプのポンプストロークごとにレジスタの値を第１増分値だけ減少させ、かつ所定時間の経過ごとに前記レジスタの値を第２増分値だけ増加させることによって、透析ユニットによる透析処置の間、患者から排出される限外濾過流体の量を監視するフィールドプログラマブルゲートアレイであって、レジスタの値がゼロまで落ちた場合にフェールセーフ状態になるフィールドプログラマブルゲートアレイとを備える、透析ユニット。
【請求項７】
前記フィールドプログラマブルゲートアレイは処置の開始前の限外濾過体積を監視し、及び、前記透析ユニットは自動コンピュータ処理装置をさらに備え、前記自動コンピュータ処理装置は、前記フィールドプログラマブルゲートアレイに公称限外濾過速度を割り当て、前記限外濾過ポンプを前記公称限外濾過速度を超える所定の速度で駆動し、及び前記フィールドプログラマブルゲートアレイが前記透析処置の開始よりも前にフェールセーフ状態になることを確認する、請求項１に記載の透析ユニット。
【請求項８】
前記所定の最大値は固定されており、又はプログラム可能である、請求項６に記載の透析ユニット。
【請求項９】
前記レジスタが前記第１の値から所定の最大値に到達した場合にも前記フィールドプログラマブルゲートアレイがフェールセーフになるように形成されている、請求項６に記載の透析ユニット。
【請求項１０】
前記限外濾過ポンプが起動しているときの一定の期間の間、時間ごとの所定の増分のそれぞれについて前記第２の増分値だけ、前記フィールドプログラマブルゲートアレイが前記レジスタの値を増加させる、請求項１に記載の透析ユニット。
【請求項１１】
前記限外濾過ポンプのポンプストローク数は前記限外濾過ポンプのコントローラにバルブ状態を監視させることによって計数する、請求項１又は６に記載の透析ユニット。
【請求項１２】
前記コントローラは、計数した前記ポンプストローク数が閾値によって予測できるポンプストローク数よりも少ない場合にポンプ速度又は期間を延長する、請求項１１に記載の透析ユニット。
【請求項１３】
透析装置を有してなる透析液流回路と、
透析ユニットにおける流路内のセンサを所定の許容可能な値の範囲外の温度または伝導度にさらすことによって、フィールドプログラマブルゲートアレイにより仲介される安全システムが適切に動作していることを処置の開始前に確認し、かつ、フィールドプログラマブルゲートアレイの安全システムが、所定の許容可能な値の範囲外の温度または伝導度に応答してフェールセーフ状態になることを確認する自動コンピュータ処理装置であって、安全システムが適切に動作していることを確認した後、所定の時間間隔内にフィールドプログラマブルゲートアレイの１つ以上のレジスタに書き込むことによって、フィールドプログラマブルゲートアレイをリセットする自動コンピュータ処理装置とを備える、透析ユニット。
【請求項１４】
前記自動コンピュータ処理装置は前記透析装置に患者が連結される前に確認を行い、前記自動コンピュータ処理装置は、前記透析ユニットにおける流路内のセンサを所定の許容可能な値の範囲外の温度または伝導度にさらす間に、前記患者が前記透析装置に連結されていることを示すステータスを設定する、請求項１３に記載の透析ユニット。
【請求項１５】
前記自動コンピュータ処理装置は、前記透析ユニットにおける流路内のセンサを所定の許容可能な値の範囲外の温度または伝導度にさらす間に、４２℃に加熱した透析液の汲み出しを行うように命令する、請求項１３に記載の透析ユニット。
【手続補正書】
【提出日】令和2年8月24日(2020.8.24)
【手続補正１】
【補正対象書類名】明細書
【補正対象項目名】発明の名称
【補正方法】変更
【補正の内容】
【発明の名称】改善された補助換気用の装置
【手続補正２】
【補正対象書類名】特許請求の範囲
【補正対象項目名】全文
【補正方法】変更
【補正の内容】
【特許請求の範囲】
【請求項１】
個人を人工的に換気するシステムであって、前記個人の身体通路内に位置決めするための作業端を有する換気デバイスを備え、前記換気デバイスは、前記身体通路内の圧力変化を検出するように構成される圧力センサを有し、
前記換気デバイスは、
前記身体通路の圧壊を誘起するため前記換気デバイス内の第１の管腔を通して吸引を誘引し、或る期間の間、前記吸引を維持することと、
前記身体通路が圧壊しているかどうかを示す流体パラメータをモニターすることと、
前記身体通路の圧壊を検出すると、第２の管腔を通して前記個人を自動的に換気し、前記身体通路の前記圧壊を維持するために換気中吸引を維持することによって、前記個人を自動的に換気することであって、前記第２の管腔の開口は前記第１の管腔の近位側にある、前記個人を自動的に換気することと、
前記身体通路の圧壊を検出することに失敗すると、前記第１の管腔を通して前記個人を自動的に換気することと、
前記個人を自動的に換気する間に第１のタイミングで空気のボーラスを送出することとを行うように構成される制御システムを有し、
前記制御システムは、更に、
胸腔内の圧力変化を判定するため、前記圧力センサを使用して前記胸腔の状態を測定することと、
前記胸腔内の前記圧力変化を検出すると、前記個人を自動的に換気する間に空気の前記ボーラスの送出を遅延させることとを行うように構成される、システム。
【請求項２】
前記個人の前記身体通路内に空気の前記ボーラスを送出することは、所定の遅延後に起こる、請求項１に記載のシステム。
【請求項３】
前記センサは、前記身体通路内の圧力変化を間欠的に検出するように構成される、請求項１に記載のシステム。
【請求項４】
前記第１のタイミングを変更した後、前記換気デバイスは、前記圧力センサが第１の期間内で或る圧力範囲を検出することに失敗する場合、前記第１のタイミングで空気の前記ボーラスを送出することを再開する、請求項１に記載のシステム。
【請求項５】
前記胸腔の前記状態を測定することは、前記個人の胸部の圧迫の変化を測定することを含む、請求項１に記載のシステム。
【請求項６】
前記個人の前記胸部の前記圧迫の前記変化を測定することは、前記身体通路によって前記換気デバイスに加えられる力を観測することを含む、請求項５に記載のシステム。
【請求項７】
前記胸腔の前記状態を測定することは、前記胸腔内の空気流の状態を測定することを含む、請求項１に記載のシステム。
【請求項８】
前記胸腔内の空気流の前記状態を測定することは、前記センサを使用して空気流を検出することを含む、請求項７に記載のシステム。
【請求項９】
前記センサは空気圧センサを備える、請求項１に記載のシステム。
【請求項１０】
前記センサを使用し、前記身体通路内の前記圧力が増加する、減少する、又は最大圧力に達したときに、前記身体通路内の圧力が増加するときを決定して、前記個人を自動的に換気するための空気を送出するように、前記第１のタイミングを変更することを更に含む、請求項９に記載のシステム。
【請求項１１】
前記胸腔の前記状態を測定することに基づいてフィードバックを提供することを更に含む、請求項５に記載のシステム。
【請求項１２】
前記フィードバックは、前記圧迫に関する情報を含み、前記情報は、位相、レート、効率、深さ、及びタイミングから選択される、請求項１１に記載のシステム。
【請求項１３】
前記胸腔の前記状態を測定することに基づいてフィードバックを提供することは、前記胸腔内の空気の容積の変化を判定することによって、前記胸部の前記圧迫の品質を測定することを含む、請求項１１に記載のシステム。
【請求項１４】
前記フィードバックは、前記個人の胸部に加えられる圧迫を増加又は減少させる情報を含む、請求項１１に記載のシステム。
【請求項１５】
前記換気の前記タイミングを変更することは、前記身体通路内で圧力が増加するときに、前記個人を自動的に換気することを始動することを含む、請求項１に記載のシステム。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
遊技球を貯留可能な上皿と下皿とを備えた遊技機であって、
遊技球が流下する遊技領域と、
所定の発射位置から前記遊技領域に向けて遊技球を発射する球発射装置と、
前記発射位置から発射されたものの前記遊技領域に到達しなかった遊技球を前記上皿ではなく前記下皿に返却する返却経路を構成する下皿返却部と、
遊技球に付された線材が前記返却経路および前記下皿返却部の出口を通じて前記下皿側から操作されることを防止し得る不正防止部と、
を備え、
前記不正防止部は、折れ曲げにより形成された切断部位を有する金属板材からなり、該金属板材は、前記返却経路内の所定位置に前記切断部位が位置するように前記下皿返却部の外側から装着可能であり、
前記返却経路に位置する線材に張力が付加された際に当該線材が前記切断部位で切断されうるように前記金属板材を前記下皿返却部に配置することにより、遊技球に付された線材が前記返却経路および前記下皿返却部の出口を通じて前記下皿側から操作されることを防止し得るようにしたものであり、
さらに、当該遊技機には、前記金属板材とは別に、遊技球に付された線材を切断又は挟止する別防止部が設けられ、該別防止部は、前記金属板材よりも前記発射位置に近い位置に設けられ、
前記別防止部で切断できなかった線材を、前記金属板材の前記切断部で切断可能にした
ことを特徴とする遊技機。
【手続補正２】
【補正対象書類名】明細書
【補正対象項目名】０００５
【補正方法】変更
【補正の内容】
【０００５】
また、従来の遊技機は、線材が付された遊技球が発射され、その線材を操作する不正な遊技に対する抑止力が十分ではなかった。
【手続補正３】
【補正対象書類名】明細書
【補正対象項目名】０００６
【補正方法】変更
【補正の内容】
【０００６】
本発明は、上記した事情に鑑みなされたもので、その目的とするところは、不正な遊技に対する抑止力を高めた遊技機を提供することにある。
【手続補正４】
【補正対象書類名】明細書
【補正対象項目名】０００７
【補正方法】変更
【補正の内容】
【０００７】
本発明は、
遊技球を貯留可能な上皿と下皿とを備えた遊技機であって、
遊技球が流下する遊技領域と、
所定の発射位置から前記遊技領域に向けて遊技球を発射する球発射装置と、
前記発射位置から発射されたものの前記遊技領域に到達しなかった遊技球を前記上皿ではなく前記下皿に返却する返却経路を構成する下皿返却部と、
遊技球に付された線材が前記返却経路および前記下皿返却部の出口を通じて前記下皿側から操作されることを防止し得る不正防止部と、
を備え、
前記不正防止部は、折れ曲げにより形成された切断部位を有する金属板材からなり、該金属板材は、前記返却経路内の所定位置に前記切断部位が位置するように前記下皿返却部の外側から装着可能であり、
前記返却経路に位置する線材に張力が付加された際に当該線材が前記切断部位で切断されうるように前記金属板材を前記下皿返却部に配置することにより、遊技球に付された線材が前記返却経路および前記下皿返却部の出口を通じて前記下皿側から操作されることを防止し得るようにしたものであり、
さらに、当該遊技機には、前記金属板材とは別に、遊技球に付された線材を切断又は挟止する別防止部が設けられ、該別防止部は、前記金属板材よりも前記発射位置に近い位置に設けられ、
前記別防止部で切断できなかった線材を、前記金属板材の前記切断部で切断可能にした
ことを特徴とする。
【手続補正５】
【補正対象書類名】明細書
【補正対象項目名】０００８
【補正方法】変更
【補正の内容】
【０００８】
本発明によれば、不正な遊技に対する抑止力を高めた遊技機が提供できる。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
役抽選結果を決定可能な役抽選結果決定手段を有し、
前記役抽選結果決定手段は、少なくとも第一の特別役が当選する第一役抽選結果を決定する場合と、少なくとも第二の特別役が当選する第二役抽選結果を決定する場合と、を有し、
前記第一役抽選結果は第一の規定数で遊技した場合に決定可能であり、
前記第二役抽選結果は第二の規定数で遊技した場合に決定可能であり、
少なくとも第一の遊技状態、第二の遊技状態及び第三の遊技状態を含む複数の遊技状態と、を有し、
前記第二の遊技状態は、前記第一の遊技状態において、前記役抽選結果決定手段により前記第一役抽選結果が決定され、前記第一の特別役に対応する図柄の組み合わせが停止表示されなかった場合に滞在可能な遊技状態であり、
前記第三の遊技状態は、前記第一の遊技状態において、前記役抽選結果決定手段により前記第二役抽選結果が決定され、前記第二の特別役に対応する図柄の組み合わせが停止表示されなかった場合に滞在可能な遊技状態であり、
前記第三の遊技状態において前記第二の規定数で遊技した場合に前記第二の特別役に対応する図柄の組み合わせが停止表示可能な役抽選結果を決定する確率は、前記第二の遊技状態において前記第一の規定数で遊技した場合に前記第一の特別役に対応する図柄の組み合わせが停止表示可能な役抽選結果を決定する確率より低く設定されており、
設定値を設定可能に構成されており、
前記第二の遊技状態である状況において、新たな前記設定値が設定されると、前記設定値を新たに設定した後は前記第一の遊技状態で遊技を可能とし、
前記第三の遊技状態である状況において、新たな前記設定値が設定されると、前記設定値を新たに設定した後は前記第三の遊技状態で遊技を可能とすることを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、役抽選結果を決定可能な役抽選結果決定手段を有し、前記役抽選結果決定手段は、少なくとも第一の特別役が当選する第一役抽選結果を決定する場合と、少なくとも第二の特別役が当選する第二役抽選結果を決定する場合と、を有し、前記第一役抽選結果は第一の規定数で遊技した場合に決定可能であり、前記第二役抽選結果は第二の規定数で遊技した場合に決定可能であり、少なくとも第一の遊技状態、第二の遊技状態及び第三の遊技状態を含む複数の遊技状態と、を有し、前記第二の遊技状態は、前記第一の遊技状態において、前記役抽選結果決定手段により前記第一役抽選結果が決定され、前記第一の特別役に対応する図柄の組み合わせが停止表示されなかった場合に滞在可能な遊技状態であり、前記第三の遊技状態は、前記第一の遊技状態において、前記役抽選結果決定手段により前記第二役抽選結果が決定され、前記第二の特別役に対応する図柄の組み合わせが停止表示されなかった場合に滞在可能な遊技状態であり、前記第三の遊技状態において前記第二の規定数で遊技した場合に前記第二の特別役に対応する図柄の組み合わせが停止表示可能な役抽選結果を決定する確率は、前記第二の遊技状態において前記第一の規定数で遊技した場合に前記第一の特別役に対応する図柄の組み合わせが停止表示可能な役抽選結果を決定する確率より低く設定されており、設定値を設定可能に構成されており、前記第二の遊技状態である状況において、新たな前記設定値が設定されると、前記設定値を新たに設定した後は前記第一の遊技状態で遊技を可能とし、前記第三の遊技状態である状況において、新たな前記設定値が設定されると、前記設定値を新たに設定した後は前記第三の遊技状態で遊技を可能とすることを特徴とする。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
１遊技に対する賭数として所定数の遊技価値を設定することにより複数種類の図柄を可変表示可能となり、可変表示が停止したときの図柄に応じて遊技価値を付与可能な遊技機において、
所定の開始条件が成立してから所定の終了条件が成立するまで有利期間に制御する有利期間制御手段と、
賭数として設定された遊技価値と可変表示が停止したときの図柄に応じて付与された遊技価値とに基づく差数を累計した累計数を特定する特定処理を行う累計数特定手段とを備え、
前記終了条件は、前記有利期間中における前記累計数の最下値を基点とし、当該有利期間における当該基点からの前記累計数が特定数に到達することにより成立する特定終了条件を含み、
前記累計数特定手段は、前記可変表示が停止した後であり、前記特定終了条件成立の判定処理の前である所定タイミングで前記特定処理を行い、
前記特定処理では、
遊技価値を新たに用いることなく次の遊技を開始可能にする再遊技役に対応する図柄が停止されたときには当該停止について遊技価値を累計数に累計せず、さらに、次の遊技開始について遊技価値を累計数に累計せず、
累計数が０未満又は０以下となる場合には当該累計数として０を設定し、
前記特定終了条件成立の判定処理については、前記再遊技役に対応する図柄が停止されたか否かにかかわらず前記所定タイミングの後において行う、遊技機。
【手続補正２】
【補正対象書類名】明細書
【補正対象項目名】０００３
【補正方法】変更
【補正の内容】
【０００３】
このような遊技機においては、有利な状態においてメダルの純増枚数を算出するものがあった（たとえば、特許文献１参照）。
【手続補正３】
【補正対象書類名】明細書
【補正対象項目名】０００５
【補正方法】変更
【補正の内容】
【０００５】
しかしながら、従来の遊技機では、純増枚数の算出について改善の余地があった。
【手続補正４】
【補正対象書類名】明細書
【補正対象項目名】０００６
【補正方法】変更
【補正の内容】
【０００６】
本発明は、従来の遊技機に例示される純増枚数を好適に算出できる遊技機を提供することを目的とする。
【手続補正５】
【補正対象書類名】明細書
【補正対象項目名】０００７
【補正方法】変更
【補正の内容】
【０００７】
本発明のある局面に従う遊技機は、１遊技に対する賭数として所定数の遊技価値を設定することにより複数種類の図柄を可変表示可能となり、可変表示が停止したときの図柄に応じて遊技価値を付与可能な遊技機において、所定の開始条件が成立してから所定の終了条件が成立するまで有利期間に制御する有利期間制御手段と、賭数として設定された遊技価値と可変表示が停止したときの図柄に応じて付与された遊技価値とに基づく差数を累計した累計数を特定する特定処理を行う累計数特定手段とを備え、前記終了条件は、前記有利期間中における前記累計数の最下値を基点とし、当該有利期間における当該基点からの前記累計数が特定数に到達することにより成立する特定終了条件を含み、前記累計数特定手段は、前記可変表示が停止した後であり、前記特定終了条件成立の判定処理の前である所定タイミングで前記特定処理を行い、前記特定処理では、遊技価値を新たに用いることなく次の遊技を開始可能にする再遊技役に対応する図柄が停止されたときには当該停止について遊技価値を累計数に累計せず、さらに、次の遊技開始について遊技価値を累計数に累計せず、累計数が０未満又は０以下となる場合には当該累計数として０を設定し、前記特定終了条件成立の判定処理については、前記再遊技役に対応する図柄が停止されたか否かにかかわらず前記所定タイミングの後において行う。
なお、以下の構成を備えるものであってもよい。所定の開始条件が成立することにより有利可能期間に制御する有利可能期間制御手段と、前記有利可能期間中において遊技者にとって有利な有利状態に制御可能な有利状態制御手段と、賭数として設定された遊技価値と可変表示が停止したときの図柄に応じて付与された遊技価値とに基づく差数を累計した累計数を特定する累計数特定手段と、前記有利可能期間中における前記累計数の最下値を基点とし、当該有利可能期間における当該基点からの前記累計数が特定数に到達することにより、当該有利可能期間を終了させ、当該有利可能期間中において前記有利状態に制御されているときには当該有利状態をも終了させる終了制御手段と、前記有利可能期間中における前記累計数が前記特定数まで所定数未満で到達することとなる所定累計数となることにより、前記特定数に到達して当該有利可能期間が終了する旨を特定可能となる特定演出を実行する特定演出実行手段と、前記有利状態中においては賭数として設定された遊技価値と可変表示が停止したときの図柄に応じて付与された遊技価値とに基づき当該有利状態中における純増数を表示し、前記有利状態中であっても前記所定累計数となることに基づき当該純増数の表示を終了する純増数表示手段とを備える。